(57)【要約】      （修正有）【課題】コードレス式ロールスクリーンにおいて、垂直または水平の設置面に設置されても、水平方向に大きく突出しない巻き取り装置を提供する。【解決手段】巻き取り装置２０は、設置面に固定されるブラケット３と、ブラケット３に取り外し可能に連結されるケーシング部材４１及びケーシング部材４１内に設置され巻き取り軸２２１を付勢する巻き取り機構４０を有する巻き取りユニット４と、を具え、巻き取りユニット４のブラケット３への連結は、巻き取りユニット４をその長さ方向が鉛直方向と略一致する態勢でブラケット３に連結する連結機構５によりなされており、連結機構５は、ブラケット３とケーシング部材４１のいずれか一方に設けられる第１の連結ユニット５１と、いずれか他方に設けられ第１の連結ユニット５１と係脱自在に係合する第２の連結ユニット５２とを有する。【選択図】図４
2015151858.tif 000002
【特許請求の範囲】
【請求項１】
コードレス式ロールスクリーンに用いられ、設置面に固定される固定金具との間にスクリーンの巻き取り軸を架設できるように設けられて、前記スクリーンを巻き上げるように回転する方向に前記巻き取り軸を付勢する巻き取り装置であって、
前記設置面に固定されるブラケットと、
前記ブラケットに取り外し可能に連結されるケーシング部材と、前記ケーシング部材内に設置され、前記スクリーンを巻き上げるように回転する方向に前記巻き取り軸を付勢する巻き取り機構とを有する巻き取りユニットと、を具え、
前記ケーシング部材と前記ブラケットとの前記連結は、前記巻き取りユニットをその長さ方向が鉛直方向と略一致する態勢で前記ブラケットに連結する連結機構によりなされており、
前記連結機構は、前記ブラケットと前記ケーシング部材とのいずれか一方に設けられる第１の連結ユニットと、前記ブラケットと前記ケーシング部材とのいずれか他方に設けられ前記第１の連結ユニットと係脱自在に係合する第２の連結ユニットとを有することを特徴とするコードレス式ロールスクリーンの巻き取り装置。
【請求項２】
前記ブラケットは、前記設置面に固定される第１のプレートと、前記設置面から離れる方向に向かって前記第１のプレートから延伸するように形成された第２のプレートとを有し、
前記ケーシング部材は、前記ブラケットの前記第２のプレートに近接するように配置される第１のケーシング壁を有し、
前記第１の連結ユニットは、前記第１のケーシング壁と前記第２のプレートとのいずれか一方に設けられ、前記第２の連結ユニットは、前記第１のケーシング壁と前記第２のプレートとのいずれか他方に設けられる
ことを特徴とする請求項１に記載のコードレス式ロールスクリーンの巻き取り装置。
【請求項３】
前記第１の連結ユニットは、少なくとも１個の連結ブロックを有し、
前記第２の連結ユニットは、少なくとも１個の連結孔を有し、
前記連結ブロック及び前記連結孔は、係脱自在に嵌まり合うことができるようにそれぞれ形成され、且つ、個数の合計が３つ以上である
ことを特徴とする請求項２に記載のコードレス式ロールスクリーンの巻き取り装置。
【請求項４】
前記第１の連結ユニットは、複数の前記連結ブロックを有し、
前記第２の連結ユニットは、同一円周上に等間隔で配置された少なくとも４つの前記連結孔を有し、
前記連結ブロックは、各前記連結孔にそれぞれ係脱自在に嵌め入れられるように形成されたものである
ことを特徴とする請求項３に記載のコードレス式ロールスクリーンの巻き取り装置。
【請求項５】
前記ケーシング部材には、前記巻き取り軸の一端部が回転可能に挿通する第１の軸挿入孔が設けられ、
前記ブラケットの前記第２のプレートには、前記巻き取り軸の前記一端部が回転可能に挿入される第２の軸挿入孔が設けられ、  
前記第１の連結ユニットは、１つの前記連結ブロックを有し、
前記第２の連結ユニットは、複数の前記連結孔を有する
ことを特徴とする請求項３に記載のコードレス式ロールスクリーンの巻き取り装置。
【請求項６】
前記ケーシング部材には、前記巻き取り軸の一端部が回転可能に挿通する第１の軸挿入孔が設けられ、
前記ブラケットの前記第２のプレートには、前記巻き取り軸の前記一端部が回転可能に挿入される第２の軸挿入孔が設けられ、  
前記第１の連結ユニットは、複数の前記連結ブロックを有し、
前記第２の連結ユニットは、１つの前記連結孔を有する
ことを特徴とする請求項３に記載のコードレス式ロールスクリーンの巻き取り装置。
【請求項７】
各前記連結孔は、前記第１の軸挿入孔と前記第２の軸挿入孔とに前記巻き取り軸が挿入された際に前記巻き取り軸を中心とした同一円周上に等間隔で配置されるように形成されている
ことを特徴とする請求項５に記載のコードレス式ロールスクリーンの巻き取り装置。
【請求項８】
各前記連結ブロックは、前記第１の軸挿入孔と前記第２の軸挿入孔とに前記巻き取り軸が挿入された際に前記巻き取り軸を中心とした同一円周上に互いに９０°の間隔を置いて配置されるように形成されている
ことを特徴とする請求項６に記載のコードレス式ロールスクリーンの巻き取り装置。
【請求項９】
前記連結ブロックは、前記第１のケーシング壁と前記第２のプレートとのいずれか一方から突起するように形成されており、根元側であるネック部と、先端側であり前記ネック部よりも径大なヘッド部とを有し、
前記連結孔は、前記第１のケーシング壁と前記第２のプレートとのいずれか他方を貫通するように形成されており、前記連結ブロックの前記ネック部を通すが前記ヘッド部を通さない大きさに形成された縮径部と、前記縮径部と連続していると共に前記連結ブロックの前記ヘッド部を通す大きさに形成された拡径部とを有する
ことを特徴とする請求項３〜８のいずれか一項に記載のコードレス式ロールスクリーンの巻き取り装置。
【請求項１０】
前記ケーシング部材は、前記第１のケーシング壁と向かい合わせに設けられていると共に前記スクリーンの前記巻き取り軸を通す通し孔が形成されている第２のケーシング壁と、前記第１のケーシング壁と前記第２のケーシング壁を連結して前記第１のケーシング壁と前記第２のケーシング壁と共に収容空間を画成する連結壁を更に有し、
前記巻き取り機構は、前記収容空間に配置されるものであって、前記巻き取り軸に共に回転可能に連結される第１の歯車と、前記第１の歯車と噛み合うように並置されると共に、並置方向が前記巻き取りユニットの前記長さ方向となるように鉛直方向に設けられる第２の歯車と、両端が前記第１の歯車及び前記第２の歯車にそれぞれ巻き付けられていて前記第１の歯車を前記巻き取り軸が前記スクリーンを巻き上げるように回転する方向に付勢する弾性片とを有する
ことを特徴とする請求項２〜９のいずれか一項に記載のコードレス式ロールスクリーンの巻き取り装置。
【請求項１１】
請求項１〜１０のいずれか一項に記載のコードレス式ロールスクリーンの巻き取り装置と、
前記固定金具と、
前記巻き取り装置と前記固定金具との間に架設される前記巻き取り軸と、前記巻き取り軸に巻回される前記スクリーンとを有するスクリーンユニットと、を具える
ことを特徴とするコードレス式ロールスクリーン。
【発明の詳細な説明】
【技術分野】
【０００１】
本発明は、ロールスクリーンの巻き取り装置に関し、特に巻き取り操作のための操作コードやチェーンを有しないコードレス式のロールスクリーンに用いる巻き取り装置に関する。  
【背景技術】
【０００２】
ロールスクリーンにおいて、巻き取り操作のためのコードやチェーンを有さず、スクリーンの下端に設けられたボトムバーを直接操作することでスクリーンを上げ下げするコードレス式ロールスクリーンの従来例が、図１、図２に示されている（特許文献１）。
【０００３】
このコードレス式ロールスクリーン１は、建物の壁面１９に固定される固定金具１１と、固定金具１１と水平方向に間隔を置いて壁面１９に固定されるブラケット１２と、ブラケット１２の内側に設置される巻き取り装置１３と、巻き取り装置１３および固定金具１１の間に架設されるスクリーンユニット１４とを具える。
【０００４】
スクリーンユニット１４は、両端がそれぞれ固定金具１１および巻き取り装置１３に回転可能に連結されている巻き取り軸１４１と、巻き取り軸１４１に巻き取られるスクリーン１４３とからなっており、巻き取り軸１４１の巻き取り装置１３側の先端にはスリーブ１４２が被せられている。
【０００５】
ブラケット１２は、壁面１９に固定される固定プレート１２１と、壁面１９から離れる方向に向かって固定プレート１２１から突き出るように形成された突出プレート１２２とからなり、突出プレート１２２の内側には、巻き取り装置１３に向かってそれぞれ水平方向に突き出る第１の軸体１２３及び第２の軸体１２４が、突出プレート１２２の突出方向に沿って並ぶように設けられている。
【０００６】
巻き取り装置１３は、第２の軸体１２４に軸支されていると共にスリーブ１４２に連動回転可能に連結されているローラー１３２と、中心端が第１の軸体１２３に固定され、外側端がローラー１３２に巻き上げられるようにローラー１３２に固定されているつるまきバネ１３３とを有する。つるまきバネ１３３は、スクリーン１４３の上げ下げに伴うローラー１３２の回転によって蓄勢する。また、これらローラー１３２とつるまきバネ１３３を覆うように、ブラケット１２の突出プレート１２２の内側にケーシング部材１３１が設けられている。
【０００７】
スクリーンユニット１４に外力を加える（例えばスクリーン１４３を引っ張る）ことによって、ローラー１３２を回転させてスクリーン１４３の垂れ下がり具合を調整することができる。また、外力を解除すれば、つるまきバネ１３３の復帰力とスクリーンユニット１４の重量とが拮抗して、スクリーン１４３が上げ下げの途中の位置で保持される。
【先行技術文献】
【特許文献】
【０００８】
【特許文献１】台湾特許第Ｉ４２００１９号公報
【発明の概要】
【発明が解決しようとする課題】
【０００９】
しかしながら、上記従来のコードレス式ロールスクリーンは、例えば壁面１９のように、地面と垂直の設置面に設置した場合、つるまきバネ１３３とローラー１３２とが、水平方向に、具体的には設置面から離れる方向に沿って並ぶように構成されるので、巻き取り装置１３及びブラケット１２が、水平方向にそれぞれ長さ方向を有するよう形成されたものとなり、設置面から大きく突き出た構成となる。このような構成は、外観上好ましくない。また、用いるスクリーンユニット１４が比較的大型のものである場合、スクリーンユニット１４の重量と拮抗させるためにはローラー１３２とつるまきバネ１３３との組合せを２組以上用いる必要があるが、そうすると巻き取り装置１３及びブラケット１２が設置面から水平方向に更に大きく突出する構成となり、応用範囲が制限される。
【００１０】
本発明は、上記従来技術の問題点に鑑みてなされたものであり、垂直の設置面に設置されても、巻き取り装置が設置面から水平方向に大きく突出せず、しかも、例えば天井面のように地面と水平の設置面にも設置することができるコードレス式ロールスクリーンを提供するための巻き取り装置の提供を目的とする。
【課題を解決するための手段】
【００１１】
前記課題を解決するための手段として以下に示す巻き取り装置を発明するに至った。
【００１２】
即ち、本発明は、コードレス式ロールスクリーンに用いられ、設置面に固定される固定金具との間にスクリーンの巻き取り軸を架設できるように設けられて、前記スクリーンを巻き上げるように回転する方向に前記巻き取り軸を付勢する巻き取り装置であって、
前記設置面に固定されるブラケットと、
前記ブラケットに取り外し可能に連結されるケーシング部材と、前記ケーシング部材内に設置され、前記スクリーンを巻き上げるように回転する方向に前記巻き取り軸を付勢する巻き取り機構とを有する巻き取りユニットと、を具え、
前記ケーシング部材と前記ブラケットとの前記連結は、前記巻き取りユニットをその長さ方向が鉛直方向と略一致する態勢で前記ブラケットに連結する連結機構によりなされており、
前記連結機構は、前記ブラケットと前記ケーシング部材とのいずれか一方に設けられる第１の連結ユニットと、前記ブラケットと前記ケーシング部材とのいずれか他方に設けられ前記第１の連結ユニットと係脱自在に係合する第２の連結ユニットとを有することを特徴とするコードレス式ロールスクリーンの巻き取り装置を提供する。
【発明の効果】
【００１３】
上記手段によれば、設置面が垂直面であるか水平面であるかに関わらず、前記巻き取りユニットを、その長さ方向が鉛直方向と略一致する態勢となるように前記第１の連結ユニットと前記第２の連結ユニットとを係合させて前記ブラケットに連結することができるので、設置後の巻き取り装置が設置面から水平方向に大きく突出することを防ぐことが可能となる。
【図面の簡単な説明】
【００１４】
【図１】従来のコードレス式ロールスクリーンを示す分解斜視図。
【図２】従来のコードレス式ロールスクリーンを示す断面図。
【図３】本発明の第１の実施形態における巻き取り装置を有するコードレス式ロールスクリーンを示す正面図。
【図４】第１の実施形態における巻き取り装置を示す分解斜視図。
【図５】第１の実施形態における巻き取り装置を示す断面図。
【図６】本発明に係る巻き取り装置における巻き取り機構を示す側面図。
【図７】第１の実施形態における巻き取り装置が水平の設置面に設置される態様を示す図。
【図８】第１の実施形態における巻き取り装置が垂直の設置面に設置される態様を示す図。
【図９】第１の実施形態における巻き取り装置を示す斜視図。
【図１０】本発明の第２の実施形態における巻き取り装置を示す分解斜視図。
【図１１】本発明の第３の実施形態における巻き取り装置を示す分解斜視図。
【図１２】第３の実施形態における巻き取り装置を示す部分断面図。
【図１３】本発明の第４の実施形態における巻き取り装置を有するコードレス式ロールスクリーンを示す部分分解斜視図。
【図１４】第４の実施形態における巻き取り装置の連結機構を示す部分断面図。
【図１５】第４の実施形態における巻き取り装置が水平の設置面に設置される態様を示す図。
【図１６】第４の実施形態における巻き取り装置が垂直の設置面に設置される態様を示す図。
【図１７】本発明の第５の実施形態における巻き取り装置を有するコードレス式ロールスクリーンを示す部分分解斜視図。
【図１８】第５の実施形態における巻き取り装置を示す部分断面図。
【発明を実施するための形態】
【００１５】
以下、添付図面を参照しながら、本発明の各実施形態を詳細に説明する。
【００１６】
〔第１の実施形態：図３〜図９〕
図３、図４、図５には、本発明の第１の実施形態における巻き取り装置２０及びこれを有するコードレス式ロールスクリーン２が示されている。
【００１７】
（コードレス式ロールスクリーン）
本発明に係るコードレス式ロールスクリーン２は、地面に対して垂直である壁や柱の外面や、地面に対して平行である天井や梁の外面など、設置面１０が水平であるか鉛直であるかを問わずに適宜設置できるように構成されたものである。
【００１８】
コードレス式ロールスクリーン２は、巻き取り軸２２１及びこれに巻回されるスクリーン２２２を有するスクリーンユニット２２と、設置面１０に固定される固定金具２１と、固定金具２１との間にスクリーンユニット２２の巻き取り軸２２１を架設できるように設置面１０に設けられる巻き取り装置２０とを具えている。なお、例として図３、図４、図５では設置面１０が天井面である態様を、図８、図９では設置面１０が壁面である態様をそれぞれ示している。
【００１９】
固定金具２１は、例えばねじ等の固定具（図示せず）により設置面１０に固定される固定プレート２１１と、固定プレート２１１から直角に折れ曲がって設置面１０から離れる方向に延伸するように形成された支持プレート２１２とを有し、支持プレート２１２にはスクリーンユニット２２の巻き取り軸２２１を挿入させるための孔（図示せず）が設けられている。巻き取り軸２２１は、巻き取り装置２０側の一端部である連動端２２３を有し、連動端２２３の反対端が支持プレート２１２の上述した孔に挿入される。
【００２０】
（巻き取り装置）
巻き取り装置２０は、固定金具２１との間に巻き取り軸２２１の長さに対応した間隔を置いて設置面１０に固定されるブラケット３と、ブラケット３に取り外し可能に連結されるものであって、スクリーン２２２を巻き上げるように回転する方向に巻き取り軸２２１を付勢できるように構成された巻き取りユニット４と、巻き取りユニット４をその長さ方向が常に鉛直方向と略一致する態勢でブラケット３に連結させられるように構成された連結機構５とを具えている。
【００２１】
ブラケット３は、例えばねじ等の固定具（図示せず）により設置面１０に固定される第１のプレート３１と、第１のプレート３１から直角に折れ曲がって設置面１０から離れる方向に延伸するように形成された第２のプレート３２とを有する。なお、固定金具２１とブラケット３は、支持プレート２１２と第２のプレート３２とが向かい合わせになるようにそれぞれ設置面１０に固定する。
【００２２】
図４、図５、図６には、巻き取りユニット４が主に示されている。巻き取りユニット４は、内部に収容空間４１４が画成されている略長方形のケーシング部材４１と、収容空間４１４に設けられている巻き取り機構４０とを有する。
【００２３】
ケーシング部材４１は、ブラケット３の第２のプレート３２に連結機構５を介して取り外し可能に連結されるものであり、連結された際に第２のプレート３２に近接する側に配置され第２のプレート３２と略平行する第１のケーシング壁４１１と、第１のケーシング壁４１１と間隔を置いて向かい合わせに設けられている第２のケーシング壁４１２と、第１のケーシング壁４１１の周辺と第２のケーシング壁４１２の周辺とを連結して共に収容空間４１４を画成する環状の連結壁４１３とを有する。
【００２４】
第２のケーシング壁４１２には、スクリーンユニット２２の巻き取り軸２２１の連動端２２３を挿通させる通し孔４１５と、収容空間４１４側に突き出る突起軸４１６とがそれぞれ形成されている。なお、本実施形態では、図４に示されているように、第１のケーシング壁４１１と第２のケーシング壁４１２がそれぞれ連結壁４１３の一部を有し、収容空間４１４側に突き出るように第１のケーシング壁４１１に設けられた複数の連結突起が、収容空間４１４側に開口するように第２のケーシング壁４１２に設けられた複数の連結孔に嵌め合わされるようにして、ケーシング部材４１が組み立てられている。
【００２５】
巻き取り機構４０は、収容空間４１４において、巻き取り軸２２１に共に回転可能に連結されるように、通し孔４１５に通された巻き取り軸２２１の連動端２２３が挿入される連動孔４２１が中心に設けられた第１の歯車４２と、第１の歯車４２と噛み合うように突起軸４１６に軸支されて設けられる第２の歯車４３と、第１の歯車４２と第２の歯車４３の間に設けられる弾性片４４を有する。
【００２６】
弾性片４４は、その両端である各固定端４４１が、それぞれ第１の歯車４２と第２の歯車４３とに固定されて巻き付けられており（図６参照）、第１の歯車４２を巻き取り軸２２１がスクリーン２２２を巻き上げるように回転する方向に付勢するものとして働く。
【００２７】
連結機構５は、ケーシング部材４１の第１のケーシング壁４１１の外面からそれぞれ突起するように形成された２つの連結ブロック５１０Ａを有する第１の連結ユニット５１と、ブラケット３の第２のプレート３２をそれぞれ貫通するように形成された４つの連結孔５２０Ａを有する第２の連結ユニット５２とからなっている。
【００２８】
連結ブロック５１０Ａは、本実施形態ではケーシング部材４１の長さ方向に所定の間隔を置いて並置されており、それぞれが、突起の根元側であるネック部５１１と、先端側でありネック部５１１よりも径大なヘッド部５１２とを有するようにきのこ状に形成されている（図４、図５参照）。
【００２９】
各連結孔５２０Ａは、連結ブロック５１０Ａのネック部５１１を通すがヘッド部５１２を通さない程度の大きさに形成された縮径部５２２と、縮径部５２２と連続していると共に連結ブロック５１０Ａのヘッド部５１２を通す程度の大きさに形成された拡径部５２１とを有する（図４、図７、図８参照）。また、各連結孔５２０の縮径部５２２は対応の拡径部５２１の反時計回り側に形成されている。
【００３０】
また、本実施形態における４つの連結孔５２０Ａは、鉛直方向に並んだ２つを１組とした第１の組の連結孔５２０Ａと、水平方向に並んだ２つを１組とした第２の組の連結孔５２０Ａとに分けられる。図４に示されているように、第１の組の連結孔５２０Ａの各縮径部５２２同士を繋いだ仮想線を第１の中心連結線５２３とし、第２の組の連結孔５２０Ａの各縮径部５２２同士を繋いだ仮想線を第２の中心連結線５２４とすると、第１の中心連結線５２３と第２の中心連結線５２４とは同じ長さであると共に垂直に交わる。即ち、各連結孔５２０Ａは、同一円周上に等間隔で配置されている。また、各連結ブロック５１０Ａ間の所定の間隔は、同一の組の連結孔５２０Ａの間の間隔に対応したものである。
【００３１】
以上の構造を有することにより、各連結ブロック５１０Ａは、ヘッド部５１２及びネック部５１１がそれぞれ第１の組の連結孔５２０Ａ或いは第２の組の連結孔５２０Ａの拡径部５２１に挿入されてから（図７でケーシング部材４１が斜めになっている状態）、ネック部５１１が縮径部５２２に通された状態（図７でケーシング部材４１が鉛直になっている状態）になるようにケーシング部材４１が反時計回りに回動されると、ヘッド部５１２が縮径部５２２に係止され、つまりは各連結ブロック５１０Ａが各連結孔５２０Ａに係止される。
【００３２】
この際、各連結ブロック５１０Ａを、第１の組の連結孔５２０Ａに係合させるか或いは第２の組の連結孔５２０Ａに係合させるかは、巻き取りユニット４、具体的にはケーシング部材４１の長さ方向が鉛直方向と略一致する態勢になる方に係合されればよい。例えば本実施形態では、水平な設置面１０にブラケット３が固定されている場合（図４、図５、図７）には、各連結ブロック５１０Ａを第１の組の連結孔５２０Ａに係合させることで、また、鉛直な設置面１０にブラケット３が固定されている場合（図８、図９）には、各連結ブロック５１０Ａを第２の組の連結孔５２０Ａに係合させることで、それぞれ巻き取りユニット４をその長さ方向が鉛直方向と略一致する態勢でブラケット３に連結することが可能となる。またこの際、巻き取り機構４０の第１の歯車４２と第２の歯車４３とは、それらの並置方向が鉛直方向と一致するようになる。
【００３３】
なお、上述の動作と逆の動作（ケーシング部材４１を時計回りに回動する）を行って各連結ブロック５１０Ａを各連結孔５２０Ａから脱離させれば、巻き取りユニット４をブラケット３から取り外すことができる。
【００３４】
従って、上記構造によれは、設置面１０が例えば鉛直な壁面であっても或いは水平な天井面であっても、即ち、ブラケット３の第２のプレート３２が図７のように垂直に突出する場合であっても或いは図８のように水平に突出する場合であっても、組立ての際に、まず巻き取り軸２２１の連動端２２３をケーシング部材４１の通し孔４１５に挿通させてから第１の歯車４２の連動孔４２１に挿入し、巻き取りユニット４側の第１の連結ユニット５１を、ブラケット３側の第２の連結ユニット５２に、巻き取りユニット４の長さ方向が鉛直方向と略一致する態勢となるように、即ち直立態勢となるように連結させれば、巻き取りユニット４が水平方向に大きく突出しないようにすることができる。
【００３５】
これにより、美観の向上に繋がると共に、スクリーンユニット２２のサイズによってより大きなトルクを巻き取り軸２２１に付勢したい場合にも、複数の巻き取り機構４０、即ち複数組の第１と第２の歯車４２、４３及び弾性片４４を、ケーシング部材４１内の収容空間４１４に鉛直方向に並置するように設けることができる。
【００３６】
なお、本実施形態では、第１の連結ユニット５１（連結ブロック５１０Ａ）を巻き取りユニット４側（第１のケーシング壁４１１）に、第２の連結ユニット５２（連結孔５２０Ａ）をブラケット３側（第２のプレート３２）にそれぞれ設けたが、これは勿論、逆であってもよく、逆にした形態が、以下に述べる第２の実施形態である。
【００３７】
〔第２の実施形態：図１０〕
第２の実施形態では、図１０に示されているように、第１の連結ユニット５１（連結ブロック５１０Ａ）をブラケット３側（第２のプレート３２）に、第２の連結ユニット５２（連結孔５２０Ａ）を巻き取りユニット４側（第１のケーシング壁４１１）にそれぞれ設けた。このように構成しても、第１の実施形態と同様の効果を得ることができる。
【００３８】
なお、第１と第２の実施形態では、連結ブロック５１０Ａ及び連結孔５２０Ａの各数量は具体的に限定する必要はなく、連結ブロック５１０Ａが少なくとも２つ設けられ、連結孔５２０Ａが連結ブロック５１０Ａの形成位置及び数量に対応して少なくとも４つ（即ち２組以上）設けられていれば、設置面１０が垂直であるか水平であるかに関わらず、巻き取りユニット４が直立する態勢となるように連結ブロック５１０Ａを連結孔５２０Ａに係合させることができるように構成することが可能である。
【００３９】
〔第３の実施形態：図１１、図１２〕
図１１及び図１２には、本発明の第３の実施形態が示されており、第１の実施形態に対して、主に連結機構５の構成が異なっており、またこれに合わせて、巻き取り軸２２１として連動端２２３の形状が第１の実施形態とは異なるものを用いている。以下に第１の実施形態との差異のみを詳述する。
【００４０】
本実施形態で用いられる巻き取り軸２２１は、自身の軸心方向に沿って連動端２２３から更に突出するように形成された円柱状の支軸部２２４を有する。
【００４１】
連結機構５は、ケーシング部材４１の第１のケーシング壁４１１に設けられている第１の軸挿入孔４１７と第１の連結ユニット５１、及び、ブラケット３の第２のプレート３２に設けられている第２の軸挿入孔３２１と第２の連結ユニット５２を含むように構成されている。
【００４２】
第１の軸挿入孔４１７は、通し孔４１５に通されると共に第１の歯車４２の連動孔４２１に通された巻き取り軸２２１の連動端２２３から更に突出している支軸部２２４が回転可能に挿入されるように通し孔４１５に対応する位置に第１のケーシング壁４１１に設けられている。
【００４３】
第１の連結ユニット５１は、本実施形態において第１のケーシング壁４１１から突起するように形成された１つの連結ブロック５１０Ｂを有する。
【００４４】
第２の軸挿入孔３２１は、ケーシング部材４１側の第１の軸挿入孔４１７を挿通した巻き取り軸２２１の支軸部２２４が回転可能に挿入されるように設けられている。
【００４５】
第２の連結ユニット５２は、本実施形態においてブラケット３の第２のプレート３２にそれぞれ貫設された４つの連結孔５２０Ｂを有する。各連結孔５２０Ｂは、図１１に示されているように、第２の軸挿入孔３２１を中心とした、即ち第２の軸挿入孔３２１に巻き取り軸２２１の支軸部２２４が挿入された際に支軸部２２４を中心とした同一円周上に等間隔で配置されるように形成されている。
【００４６】
以上の構成により、連結ブロック５１０Ｂを、いずれかの連結孔５２０Ｂに挿入して係合させると共に、巻き取り軸２２１の支軸部２２４を第１の軸挿入孔４１７及び第２の軸挿入孔３２１に挿入させることにより、ケーシング部材４１をブラケット３に連結することができる。この際、設置面１０が例えば鉛直な壁面であるか或いは水平な天井面であるかに関わらず、連結ブロック５１０Ｂを、どの連結孔５２０Ｂに係合させるかを適宜選択することにより、巻き取りユニット４、具体的にはケーシング部材４１の長さ方向が鉛直方向と略一致する態勢になるように連結することが可能となり、即ち第１の実施形態と同様の効果を本実施形態でも得ることができる。
【００４７】
なお、第１の実施形態に対する第２の実施形態と同様に、本実施形態でも、図示とは逆に、第１の連結ユニット５１をブラケット３側に、第２の連結ユニット５２を巻き取りユニット４側にそれぞれ設けることも可能である。
【００４８】
更に、連結孔５２０Ｂの数量は上述の４つに限らず、複数あればよく、少なくともそのうちの２つが上記同一円周上に互いに９０°の間隔を置いて配置されていれば、同様の効果を達成することは可能である。
【００４９】
〔第４の実施形態：図１３〜図１６〕
図１３、図１４、図１５には、第４の実施形態において設置面１０が水平面である例が示されており、図１６には同形態において設置面１０が鉛直面である例が示されている。
【００５０】
本実施形態は、第３の実施形態に類似するが、連結機構５及びブラケット３の構成が異なっており、またこれに合わせて、固定金具２１として支持プレート２１２の形状が異なるものを用いている。以下に第３の実施形態との差異のみを詳述する。
【００５１】
本実施形態で用いられる固定金具２１は、図１３に示されているように、支持プレート２１２に、巻き取り軸２２１の端部を回転可能に嵌め入れるための開口２１４を有する嵌入スリット２１３が設けられている。
【００５２】
連結機構５の第１の連結ユニット５１は、本実施形態において第１のケーシング壁４１１からそれぞれ突起するように形成された２つの連結ブロック５１０Ｃを有する。２つの連結ブロック５１０Ｃは、第１の実施形態の連結ブロック５１０Ａと同様に、それぞれ根元側よりも先端側が径大になるように形成されたものであり、第１の軸挿入孔４１７を中心とした、即ち第１の軸挿入孔４１７に巻き取り軸２２１の支軸部２２４が挿入された際に支軸部２２４を中心とした同一円周上に互いに９０°の間隔Ａ（図１５参照）を置いて配置されている。
【００５３】
連結機構５の第２の連結ユニット５２は、ブラケット３の第２のプレート３２に貫設された１つの連結孔５２０Ｃを有する。連結孔５２０Ｃは第１の実施形態と同様に、連結ブロック５１０Ｃの根元側を通すが先端側を通さない程度の大きさに形成された縮径部５２２と、縮径部５２２と連続していると共に連結ブロック５１０Ｃの先端側を通す程度の大きさに形成された拡径部５２１とを有する（図１３、図１５参照）。また、縮径部５２２は拡径部５２１の反時計回り側に形成されている。
【００５４】
また、本実施形態において、ブラケット３の第２のプレート３２は、いずれか一方の連結ブロック５１０Ｃが連結孔５２０Ｃに係合された際に他方の連結ブロック５１０Ｃが第２のプレート３２に当接しない程度の大きさに形成されている。
【００５５】
以上の構成により、いずれかの連結ブロック５１０Ｃを、連結孔５２０Ｃに挿入して係合させると共に、巻き取り軸２２１の支軸部２２４を第１の軸挿入孔４１７及び第２の軸挿入孔３２１に挿入させることにより、ケーシング部材４１をブラケット３に連結することができる。この際、設置面１０が例えば鉛直な壁面であるか（図１６）或いは水平な天井面であるか（図１５）に関わらず、連結孔５２０Ｃに、どの連結ブロック５１０Ｃを係合させるかを適宜選択することにより、巻き取りユニット４、具体的にはケーシング部材４１の長さ方向が鉛直方向と略一致する態勢になるように連結することが可能となり、即ち第１の実施形態と同様の効果を本実施形態でも得ることができる。
【００５６】
なお、第１の実施形態に対する第２の実施形態と同様に、本実施形態でも、図示とは逆の変化例として、第１の連結ユニット５１をブラケット３側に、第２の連結ユニット５２を巻き取りユニット４側にそれぞれ設けることも可能である。具体的に言うと、ブラケット３側に１つの連結ブロック５１０Ｃを設け、巻き取りユニット４側に２つの連結孔５２０Ｃを上記同一円周上に互いに９０°の間隔を置いて設けることも可能である。
【００５７】
また、連結ブロック５１０Ｃの数量（巻き取りユニット４側に２つの連結孔５２０Ｃを用いる上記変化例では連結孔５２０Ｃの数量）は上述の２つに限らず、複数あればよい。即ち、連結ブロック５１０Ｃ及び連結孔５２０Ｃの個数の合計が３つ以上であって、且つ、連結ブロック５１０Ｃ及び連結孔５２０Ｃのうち複数設けられた側の少なくとも２つが上記同一円周上に互いに９０°の間隔を置いて配置されるように構成されれば、同様の効果を達成することは可能である。
【００５８】
〔第５の実施形態：図１７、図１８〕
図１７、図１８には、第５の実施形態において設置面１０が水平面である例が示されている。
【００５９】
本実施形態は、第４の実施形態に類似するが、連結機構５及びブラケット３の構成が異なっている。以下に第４の実施形態との差異のみを詳述する。
【００６０】
連結機構５の第１の連結ユニット５１は、本実施形態において第１のケーシング壁４１１からそれぞれ突起するように直方体状に形成された３つの連結ブロック５１０Ｄを有する。３つの連結ブロック５１０Ｄは、第１の軸挿入孔４１７を中心とした、即ち第１の軸挿入孔４１７に巻き取り軸２２１の支軸部２２４が挿入された際に支軸部２２４を中心とした同一円周上に互いに９０°の間隔を置いて配置されている。
【００６１】
連結機構５の第２の連結ユニット５２は、ブラケット３の第２のプレート３２に形状が連結ブロック５１０Ｄと対応するように長方形状に貫設された１つの連結孔５２０Ｄを有する。
【００６２】
なお、本実施形態でも、図示とは逆の変化例として、第１の連結ユニット５１をブラケット３側に、第２の連結ユニット５２を巻き取りユニット４側にそれぞれ設けることも可能である。具体的に言うと、ブラケット３側に１つの連結ブロック５１０Ｄを設け、巻き取りユニット４側に３つの連結孔５２０Ｄを上記同一円周上に互いに９０°の間隔を置いて設けることも可能である。
【００６３】
また、連結ブロック５１０Ｄの数量（巻き取りユニット４側に３つの連結孔５２０Ｄを用いる上記変化例では連結孔５２０Ｄの数量）は上述の３つに限らず、複数あればよい。即ち、連結ブロック５１０Ｄ及び連結孔５２０Ｄの個数の合計が３つ以上であって、且つ、連結ブロック５１０Ｄ及び連結孔５２０Ｄのうち複数設けられた側の少なくとも２つが上記同一円周上に互いに９０°の間隔を置いて配置されるように構成されれば、同様の効果を達成することは可能である。
【００６４】
上述のように、本発明に係るコードレス式ロールスクリーン２の巻き取り装置２０は、いずれの実施形態においても、固定金具２及びブラケット３を固定する設置面１０が鉛直面であるか水平面であるかに関わらず、連結機構５の構成により、巻き取りユニット４を、その長さ方向が鉛直方向と略一致する態勢になるようにブラケット３に連結することができる。よって、巻き取りユニット４が設置面１０から水平方向に大きく突出することが無い。しかも、巻き取りユニット４をブラケット３から取り外すことも容易なので、同一構成の巻き取り装置２０で、鉛直な設置面１０にも水平な設置面１０にも対応可能である。
【００６５】
以上、本発明の好ましい実施形態を幾つか説明したが、本発明はこれに限定されるものではなく、その要旨を逸脱しない範囲で種々変更可能であることはいうまでもない。
【産業上の利用可能性】
【００６６】
本発明に係るコードレス式ロールスクリーンは、巻き取り装置が設置面から大きく突出しないように直立態勢とすることができ、美観が向上されているので、例えば居住空間における遮光用のロールスクリーンに利用することができる。また、巻き取り装置を直立態勢にできることから、複数組の巻き取り機構を組み込むことが可能となるので、巻き取り軸により大きなトルクが必要な比較的大型のコードレス式ロールスクリーンへの応用に特に適している。
【符号の説明】
【００６７】
１０          設置面
２            コードレス式ロールスクリーン
２０          巻き取り装置
２１          固定金具
２１１        固定プレート
２１２        支持プレート
２１３        嵌入スリット
２１４        開口
２２          スクリーンユニット
２２１        巻き取り軸
２２２        スクリーン
２２３        連動端
２２４        支軸部
３            ブラケット
３１          第１のプレート
３２          第２のプレート
３２１        第２の軸挿入孔
４            巻き取りユニット
４０          巻き取り機構
４１          ケーシング部材
４１１        第１のケーシング壁
４１２        第２のケーシング壁
４１３        連結壁
４１４        収容空間
４１５        通し孔
４１６        突起軸
４１７        第１の軸挿入孔
４２          第１の歯車
４２１        連動孔
４３          第２の歯車
４４          弾性片
４４１        固定端
５            連結機構
５１          第１の連結ユニット
５１０Ａ、Ｂ、Ｃ、Ｄ 連結ブロック
５１１        ネック部
５１２        ヘッド部
５２          第２の連結ユニット
５２０Ａ、Ｂ、Ｃ、Ｄ 連結孔
５２１        拡径部
５２２        縮径部
【図１】
2015151858.tif 000003
【図２】
2015151858.tif 000004
【図３】
2015151858.tif 000005
【図４】
2015151858.tif 000006
【図５】
2015151858.tif 000007
【図７】
2015151858.tif 000008
【図８】
2015151858.tif 000009
【図９】
2015151858.tif 000010
【図１０】
2015151858.tif 000011
【図１１】
2015151858.tif 000012
【図１２】
2015151858.tif 000013
【図１３】
2015151858.tif 000014
【図１４】
2015151858.tif 000015
【図１５】
2015151858.tif 000016
【図１６】
2015151858.tif 000017
【図１７】
2015151858.tif 000018
【図１８】
2015151858.tif 000019
【図６】
2015151858.tif 000020